(57)【要約】      （修正有）【解決手段】不発弾処理スーツ１０は、上着１２、ズボン１４、及び上着とズボンとの間に接続される背部保護具２０を含む。背部保護具は、プレナムを有する耐衝撃性材料の集合体を含み、このプレナムは、強制空気を受け入れるための取り入れ開口部、及びプレナムから強制空気を導くための出口開口部を有する。ファンは、取り入れ開口部の中に、空気を強制的に入れる。背部保護具は、例えば背部プレートを介して、上着からの荷重を鉛直にズボンに伝達することが可能である。【効果】軽量構造において、高いレベルの耐衝撃性、及びまた換気を提供できることは、非常に有益である。【選択図】図１
2017115288.tif 000002
【特許請求の範囲】
【請求項１】
不発弾処理スーツであって、
上着と、
ズボンと、
前記上着と前記ズボンとの間に接続される背部保護具と、
を備え、
前記背部保護具は、耐衝撃性材料の集合体を含み、
前記耐衝撃性材料の集合体はプレナムを有し、このプレナムは、強制空気を受け入れるための取り入れ開口部、及び前記プレナムから強制空気を導くための出口開口部を有し、且つ、
前記背部保護具は、前記取り入れ開口部の中に空気を強制的に入れるファンを含む、不発弾処理スーツ。
【請求項２】
請求項１に記載の不発弾処理スーツであって、
前記背部保護具は、前記上着と前記ズボンとの間の力伝達関係において接続される、不発弾処理スーツ。
【請求項３】
請求項１に記載の不発弾処理スーツであって、
前記耐衝撃性材料の集合体は、第１層及び第２層を備え、これら第１層及び第２層は、自身らの層の間に弾力的に圧縮可能な要素の配列を形成するために互いに接合され、これらの弾力的に圧縮可能な要素は、自身らの間に前記プレナムを定義し、且つ前記ファンは、前記プレナムと流体連通において接続される出口を有し、且つ前記出口開口部は、着用者の背部に向けて呈示される前記第１層及び前記第２層の１つに、多数の出口開口部を備える、不発弾処理スーツ。
【請求項４】
請求項３に記載の不発弾処理スーツであって、
前記背部保護具は背部プレートを更に含み、この背部プレートは、前記耐衝撃性材料の集合体よりも実質的に強固であり、且つ前記上着からの鉛直荷重を前記ズボンに伝達する、不発弾処理スーツ。
【請求項５】
請求項４に記載の不発弾処理スーツであって、
前記背部保護具は、前記背部プレート及び前記耐衝撃性材料の集合体をぴったりと囲むカバーを含み、前記カバーは、前記上着からの鉛直荷重を、前記背部プレートを通して前記ズボンに伝達するために、前記カバーを前記上着及び前記ズボンに解放可能に接続する留め具部分を含む、不発弾処理スーツ。
【請求項６】
不発弾処理スーツであって、
上着と、
ズボンと、
前記上着の内側に着用される背部保護具と、
を備え、
前記背部保護具は、耐衝撃性材料の集合体を含み、
前記耐衝撃性材料の集合体はプレナムを有し、このプレナムは、強制空気を受け入れるための取り入れ開口部、及び前記プレナムから強制空気を導くための出口開口部を有し、且つ、
前記背部保護具は、前記取り入れ開口部の中に空気を強制的に入れるファンを含み、
前記背部保護具は、前記上着の内部で前記耐衝撃性材料の集合体を支持する背部プレートを含む、不発弾処理スーツ。
【請求項７】
請求項６に記載の不発弾処理スーツであって、
前記背部保護具は、前記上着と前記ズボンとの間の力伝達関係において接続され、且つ前記背部プレートは、前記背部保護具に沿って、鉛直に荷重を伝達する、不発弾処理スーツ。
【請求項８】
請求項６に記載の不発弾処理スーツであって、
前記スーツは、背部保護具の上部部分及び前記上着を接続する第１の解放可能な留め具と、前記背部保護具の下部部分及び前記ズボンを接続する第２の解放可能な留め具とを含む、不発弾処理スーツ。
【請求項９】
請求項８に記載の不発弾処理スーツであって、
前記第１及び前記第２の解放可能な留め具の各々は、フック・ループ留め具を備える、不発弾処理スーツ。
【請求項１０】
請求項６に記載の不発弾処理スーツであって、
前記背部保護具はカバーを含み、このカバーは、前記背部プレート及び前記耐衝撃性材料の集合体を囲み、且つ前記上着及び前記ズボンに解放可能に留められる、不発弾処理スーツ。
【請求項１１】
請求項６に記載の不発弾処理スーツであって、
前記背部プレートは、前記耐衝撃性材料の集合体よりも強固であり、且つカバーの中で前記耐衝撃性材料の集合体とぴったりと合い、且つ前記カバーは、前記上着及び前記ズボンに解放可能に留められる、不発弾処理スーツ。
【請求項１２】
請求項６に記載の不発弾処理スーツであって、
前記耐衝撃性材料の集合体は、第１層及び第２層を備え、これら第１層及び第２層は、自身らの層の間に弾力的に圧縮可能な要素の配列を形成するために互いに接合され、これらの弾力的に圧縮可能な要素は、自身らの間に前記プレナムを定義し、且つ前記ファンは、前記プレナムと流体連通において接続される出口を有し、且つ前記出口開口部は、着用者の背部に向けて呈示される前記第１層及び前記第２層の１つに、多数の出口開口部を備える、不発弾処理スーツ。
【請求項１３】
請求項６に記載の不発弾処理スーツであって、
前記耐衝撃性材料の集合体は、第１層の弾力性材料と第２層の弾力性材料とを備え、これら第１層及び第２層の弾力性材料は、自身らの層の間に前記プレナムを定義するために互いに接合され、且つ前記ファンは、前記プレナムの中に空気を導くために、前記プレナムと流体連通において接続される出口を有し、且つ前記出口開口部は、着用者の背部に向けて呈示される前記第１層及び第２層の１つにおいて、多数の出口細孔を備える、不発弾処理スーツ。
【請求項１４】
請求項６に記載の不発弾処理スーツであって、
前記耐衝撃性材料の集合体はフレキシブルなプラスチック材料を備え、且つ前記背部プレートは複合材料を備える、不発弾処理スーツ。
【発明の詳細な説明】
【技術分野】
【０００１】
この発明は、背部保護具を有する不発弾処理スーツに関する。
【背景技術】
【０００２】
不発弾処理スーツは、上着及びズボンを含む。スーツは、万一爆発が起こった場合、過大圧力、加速度、破砕、及び熱に対して、スーツの着用者を保護するように設計される。不発弾処理スーツの強力な保護構造のために、着用者は、そのスーツを着用している時、非常に暑くなる。また、上着は、それが着用者の保護のために強力に形成されているため、着用者の肩に、相当な荷重をかける場合がある。加えて、万一爆破の力によって、着用者が後方、地面上に投げ出される場合、着用者の背骨領域は、耐衝撃性材料によって保護されなければならない。
【図面の簡単な説明】
【０００３】
【図１】上着、ズボン、及び背部保護具を含む、本発明の実施形態である不発弾処理スーツを概略的に例示した図である。
【図２】明確にするために、上着上の背部保護具及び背部保護具の部品を外した状態で、上着が広げられた様子を例示する絵画図である。
【図３】カバー、背部プレート、耐衝撃性材料の集合体、及びファンアセンブリを含む背部保護具の構成部品の分解組立図である。
【図４】カバーの反対側を示す立面図である。
【図５】背部保護具が決まった位置にある場合の、スーツの部品の配列を例示する概略的断面図である。
【図６】耐衝撃性材料の集合体からの通気の流れを概略的に例示する立面図である。
【図７】背部保護具が決まった位置に無い状態で、上着が広げられた様子を例示する、図２と同様の絵画図である。
【図８】（Ａ）は背部プレートの湾曲を示す、背部保護具の一部分の概略的側面図である。（Ｂ）は背部プレートの概略的後方立面図である。
【発明を実施するための形態】
【０００４】
この発明は、背部保護具を備えた不発弾処理スーツに関する。本発明は、変化する構造の不発弾処理スーツ及び背部保護具に適用される。本発明の代表例として、図１は、本発明の第１実施形態である不発弾処理スーツ１０を例示する。
【０００５】
スーツ１０（図１）は、上着１２及びズボン１４を含む。スーツ１０はまた、概略的に１６で示されるヘルメット、及び背部保護具２０を含む。背部保護具２０（図３）は、以下で詳細に説明されるが、４つの主な要素である、カバー５０、耐衝撃性材料５２の集合体、ファンアセンブリ５４、及び背部プレート５６を含む。
【０００６】
上着１２（図１、図２及び図７）は、胴部分２２、及び２つのそで部２４を有する。上着１２の胴部分は、爆破効果に対する保護のための、保護材料の内部集合体又は内部層２８（図５）を含む多層構造を有し、ここで保護材料は、外殻若しくは外部層、又は被覆２６（図５）の中に含まれる。図５で見ることができるように、着用者の胴に面する、上着１２の胴部分２２の背部パネルの外側被覆２６の一部分は、保護材料ユニット２８の内側表面３２を露出させる開口部３０を設けるために切り取られる。
【０００７】
上着１２上のフック・ループ接続具パッチ３４（図４、図５及び図７）（例えば、ベルクロ（Ｖｅｌｃｒｏ）商標材料）は、着用者に面する、保護材料ユニット２８の内側表面３２上に固定される。上着１２上のパッチ３４は、下部上着接続具３６の一部分であり、この接続具は、以下で説明されるように、力伝達関係において、上着をカバー５０に解放可能に接続する。パッチ３４は、下部上着接続具３６の上着部分を構成する。パッチ３４は、以下で説明されるように、背部保護具２０のカバー５０上のパッチ９４と係合可能であり、ここでパッチ９４は、下部上着接続具３６の他の部分を形成する。パッチ３４は、好ましくは、約１１インチ幅であり、且つ襟のちょうど下で約６インチのところから、上着１２のヘムに近い場所まで、鉛直に延在する。
【０００８】
上着１２上の第２のフック・ループ接続具パッチ３５（図４、図５及び図７）（例えば、ベルクロ商標材料）は、着用者に面する、上着の胴部分の外側被覆２６上に固定される。上着１２上のパッチ３５は、上部上着接続具３７の一部分であり、この接続具は、力伝達関係において、下部上着接続具３６と一緒に、上着をカバー５０に解放可能に接続する。パッチ３５は、上部上着接続具３７の上着部分を構成する。パッチ３５は、以下で説明されるように、背部保護具２０のカバー５０上のパッチ９５と係合可能であり、パッチ９５は、上部上着接続具３７の他の部分を形成する。パッチ３５は、好ましくは、約４インチ幅であり、且つ上着１２の襟のちょうど下から、鉛直に２インチ延在する。
【０００９】
ズボン１４のウエストバンド領域４０（図５）は、ズボンの上方端部にある。上着１２の長さは、上着のヘムがズボン１４のウエストバンド領域４０と重なることを保証するように選択される。別のフック・ループ接続具パッチ４２は、着用者から離れて面する、ズボン１４のウエストバンド部４０の外側裏面の上に固定される。パッチ４２はズボン接続具４６の一部分であり、この接続具は、以下で説明されるように、力伝達関係において、ズボン１４を背部保護具２０に解放可能に接続する。パッチ４２は、下部上着接続具４６のズボン部分を構成する。ズボン１４上のパッチ４２は、以下で説明されるように、背部保護具２０のカバー５０上のパッチ１００（図３及び図５）と係合可能であり、それによって、ズボン接続具４６を完成する。
【００１０】
背部保護具２０は、上記のように、４つの要素である、カバー５０、耐衝撃性材料５２の集合体、ファンアセンブリ５４、及び背部プレート５６を含む。背部プレート５６（図３及び図５）は、着用者の背骨領域に対する衝撃保護を提供する背部保護具２０の要素である。背部プレート５６は、カバー５０の内部に位置し、カバーの外側パネル８８（図３）に隣接する。背部プレート５６は、背部保護具１０の全般的な耐衝撃性のかなりの部分を提供するが、その理由は、背部プレート５６が、任意の小さな領域の衝撃の力を、より広い表面領域にわたって広げるからである。背部プレート５６はまた、背部保護具２０の中に構造的機能を有するが、その構造的要素とは、即ち、背面保護具の他の要素を支持するためのものである。具体的には、カバー５０が上着１２とズボン１４との間の適切な位置に固定される場合、背部プレート５６は、十分に強固であり、そのため、望ましい構成において、且つ着用者の背部に沿う望ましい場所で、耐衝撃性材料５２の集合体を支持することを助ける。胴を曲げることを含めて、スーツ１０を着用している間、背部プレート５６は十分にフレキシブルであり、そのため、着用者は普通に動くことが可能である。
【００１１】
背部プレート５６（図８（Ａ）及び図８（Ｂ））は、好ましくは、その上部部分５７で湾曲しており、そのため、胸部領域における背骨の前方湾曲に従う。明確にするために、この湾曲は、図５に示されていない。この湾曲は、平面で鉛直の背部プレートを収容するために、その領域で上着１２を特大にする必要性を排除する。
【００１２】
背部プレート５６に対しては、様々な異なる材料を使用することが可能であり、それは、例えば複合材料であり、例えば熱可塑性複合材料である。一実施形態において、背部プレートは、約８．２５インチ幅、且つ０．１２５インチ厚のものである。約０．０４インチ厚さの任意選択的な炭素繊維シート５９を、背部プレート５６の上部部分５７の外側（凸状）表面に取り付けてもよい。炭素繊維シート５９は、フレキシブルではなく、且つ、必要に応じて、格納時及び使用時に、背部プレートの上部部分の必要とされる湾曲を保存することを助けるかもしれない。このシート５９は、図８（Ａ）及び図８（Ｂ）にも概略的に表されている。
【００１３】
背部プレート５６は、背部保護具２０の長さに沿って、荷重を鉛直に伝達することが可能である。背部プレート５６は、この態様においては、耐衝撃性材料５２の集合体よりも実質的に強固である。その結果、且つ以下で詳細に説明されるように、背部プレート５６は、上着１２の荷重（重量）のかなりの部分をズボン１４へと鉛直下方に伝達することが可能であり、それによって、着用者の肩に対する負担を軽減する。
【００１４】
耐衝撃性材料５２の集合体（図５及び図６）は、背部プレート５６とカバーの内側パネル８６との間で、背部保護具カバー５０の内部に位置する。スーツ１０のような不発弾処理スーツの着用者は、爆破に直面することを教育されるが、そこでは、爆破力は、着用者を前面から押し、そして着用者は、自身の背部から落ちるであろう。耐衝撃性材料５２は、そのような状況において、スーツ１０の着用者を保護することを助けるのに必要とされるレベルの衝撃保護を提供できる部類の材料から選択される。耐衝撃性材料５２は、例えば、耐貫通性というよりも、主として耐衝撃性のために選択される。耐衝撃性材料は、そのような状況において、着用者に対する衝撃力を許容できるレベルまで減少させなければならない。
【００１５】
この点については、不発弾処理スーツは、着用者の保護のために、あるＮＩＪ（国家司法当局）標準を満足するように製造される。関連するＮＩＪ標準は、第０１１７号公的安全爆弾スーツ標準であり、この標準は、不発弾処理スーツに対して、ある一定の耐衝撃性要求を規定する。この標準の現行版は、背骨保護要求を含み、この要求においては、伝達される最大力の値は、ある一定の球落下試験の実行に対して、４ｋＮ（４キロニュートン）を超えてはならない。この標準は、米国司法省、司法計画室のウェブサイトであるｈｔｔｐｓ：／／ｗｗｗ．ｎｃｊｒｓ．ｇｏｖ／ｐｄｆｆｉｌｅｓ１／ｎｉｊ／２２７３５７．ｐｄｆ、及び他の場所において、オンラインで入手可能であり、且つ説明されている。
【００１６】
ＮＩＪ標準は、きぬた骨のような、ある特定の形状を提供するが、これのエネルギーは、着用者の下にある人体組織に伝達される力／エネルギーの、ある一定のレベル以下にまで減衰されなければならない。従って、衝撃保護材料は、ある最小レベルの衝突保護又は衝撃保護を提供するような、単なる快適な詰め物ではない。弾道ベストにおいて通常見つけ出す弾道布のような材料は、それ自体、何らかの衝撃保護を提供するものの、実際にはこの応用に適していない。泡状材料は、それらがある圧縮レベルに達する場合、自身の応力−歪み曲線における急激な増加によって特徴付けられ、その増加の点において、自身の衝撃減衰効率は著しく減少する。
【００１７】
例示された実施形態において、耐衝撃性材料５２は、弾力のある、フレキシブルなプラスチック緩和材料であり、且つ、本明細書で説明されるように構成する場合、十分な耐衝撃性を示し、そのため、スーツ１０がＮＩＪ標準を満足することを助ける。そのような材料は、１つの特定の構成を含む様々な異なる構成において入手可能であり、ここで１つの特定の構成が、本明細書で好ましいものとして例示されているが、しかしそれは限定的なものではない。
【００１８】
例示された実施形態における耐衝撃性材料５２の集合体は、一緒に接合される２つの層６０及び６２から成る。第１層６０又は外側層６０は、主壁６４及び一連の突出部６６を有し、これらの突出部６６は、自身らの間に空気の空間が存在する状態で、ドーム又は円錐の形をしている。例示された実施形態において、その材料は、約０．０４インチの壁厚さを有する。円錐体６６は、約０．５インチの高さ、及び最も広い点で約０．６インチの直径を有する。円錐体６６は、例示されるように、主壁６４上で、中心間隔が約０．８７５インチの中心において、行と列の規則的な配列の中に位置してもよい。
【００１９】
耐衝撃性材料の第２層６２又は内側層６２は、構造において、第１層６０と同様である。第２層は、主壁６８及び一連の円錐形突出部７０を有し、突出部の間には空気の空間が存在する。
【００２０】
２つの材料層６０及び６２（図５及び図６）は、突出部６６及び７０が互いに向き合い、且つそれらの小さな端部が隣接する状態で、一緒に接合される。これは、多数の砂時計形状を形成するが、これらの砂時計形状は、自身の長さに沿って、主壁６４及び６８の平坦な層の間で圧縮されることが可能であり、その過程においてエネルギーを吸収する。この圧縮が起こる場合、残りの任意の力は、より広い領域にわたって分散される。より硬い主壁６４及び６８は、２つの層構造物の外側にある。その結果、空気室又はプレナム７４が、外側層６０の主壁６４と内側層６２の主壁６８との間に形成される。プレナム７４は、円錐体６６及び７０の間に、及び円錐体６６及び７０の中に、空間を含む。
【００２１】
２つの材料層６０及び６２は、それらの長い側面縁部７６に沿って、一緒に接合される。多数の空気出口細孔７８が、それらの接合された縁部７６に形成され、これによって、耐衝撃性材料５２の集合体の側面において、空気がプレナム７４から外へ流れることが可能である。加えて、多数の空気出口細孔８０が、内側層６２の主壁６８に形成される。細孔８０によって、空気は、耐衝撃性材料５２の集合体の内側に沿って、プレナム７４から外へ流れることが可能になる。全体として、全ての空気出口細孔７８及び８０が、耐衝撃性材料５２の空気出口を構成し、これらの空気出口が、背部保護具１０の空気出口である。
【００２２】
２つの材料層６０及び６２を、このようなやり方で結合することによって、弾力のある、高度に耐衝撃性のある構造を提供する。具体的には、材料層６０及び６２上の円錐形の突出部６６及び７０は、背部保護具１０の面に垂直な方向に加えられる力の下で変形する。加えて、材料それ自体が、耐衝撃性のものである。説明したように、２つの層６０及び６２が一緒に接合されることによって、万一衝撃が背部保護具１０上で起こる場合、２つの層は弾力のある構造を形成するが、この弾力のある構造は、衝撃力を物理的に吸収し、且つその力が耐衝撃性材料５２の集合体の反対側に伝達されるのを阻止する。
【００２３】
カバー５０（図３から図５）は周囲に延在し、且つファンアセンブリ５４の一部分を除いて、背部保護具の他の要素を覆う。カバー５０は、好ましくは、Ｃｏｒｄｕｒａ（登録商標）銘柄布のような布タイプの材料から成る。
【００２４】
カバー５０は、閉じたそで部として形づくられ、そのそで部は、着用者の肩から下がってウエストまで延在する細長い構成を有する。カバー５０の主体部分８４は、構成において、一般に長方形である。カバー５０の主体部分８４は、（着用者により近い）内側パネル８６及び（上着１２により近い）外側パネル８８を含み、これらの間に、背部プレート５６及び耐衝撃性材料５２の集合体が位置する。カバー５０の内側パネル８６（これは、スーツが着用される場合、着用者の胴に面する）は、選択された領域では多孔性であり、それによって、多孔性領域を通って通気が流れることを可能にしている。
【００２５】
カバー５０は底部で開いており、それによって、背部保護具１０の他の部分の除去及び／又は交換を可能にしている。ストラップ９０は、カバー５０の底端部から延在し、それによって、背部保護具２０の他の部分にわたって延在すると共に、背部保護具２０の他の部分をカバーの範囲内に固定する。
【００２６】
カバー５０の主体部分８４の上方端部では、カバーは外に向かって広がり、且つ着用者の肩にわたって延在する２つの耳部９２を有する。耳部９２は、示されるように、フック・ループパッチを有してもよく、それによって、背部保護具２０のカバー５０の上方端部を、上着１２の内部の適切な場所に固定することを助ける。約１インチ厚さの泡状詰め物の層は、好ましくは、着用者の肩部に乗っている、カバー５０の耳部分９２の内部に位置する。カバー５０は、Ｕ字型開口部の底縁部に沿って、耳部の下方で縫い閉じられるが、ここでＵ字型開口部は、縫い目部分又は縫い目１２０（図３）によって、耳部の間に形成される。
【００２７】
カバー５０は、３つのフック・ループ接続具パッチを含み、これらのフック・ループ接続具パッチは、上着１２上の２つのパッチ３４及び３５と、ズボン１４上のパッチ４２とに係合する。これら３つのパッチの第１のものは、下部上着接続具３６のカバー部分９４（図４、図５及び図７）である。下部上着接続具３６のカバー部分９４は、例示された実施形態において、フック／ループ接続具パッチである。パッチ９４は、着用者から離れて面する、カバー５０の外側パネル８８の外側主側面９６上に位置する。パッチ９４は、好ましくは、約４インチ幅であり、且つ縁部１０４から、縁部１０５から約５インチの場所まで鉛直に延在する。下部上着接続具３６のカバー部分９４は、以下で説明されるやり方で、上着１２上のパッチ３４と係合可能であり、それによって、カバー５０を、且つ、従って、背部保護具２０を上着と解放可能に接続する。
【００２８】
カバー５０上の第２接続具パッチは、上部上着接続具３７のカバー部分９５（図４、図５及び図７）である。上部上着接続部３７のカバー部分９５は、例示された実施形態において、フック／ループ接続具パッチである。パッチ９５は、着用者から離れて面する、カバー５０の外側パネル８８の外側主側面９６上に位置する。パッチ９５は、好ましくは、約４インチ幅であり、且つ縁部１０５から１インチのところで開始して、約２インチの間、鉛直に延在する。上部上着接続具３７のカバー部分９５は、以下で説明されるやり方で、上着１２上のパッチ３５と係合可能であり、それによって、カバー５０を、且つ、従って、背部保護具２０を解放可能に上着と接続する。
【００２９】
カバー５０上の第３接続具パッチは、ズボン接続具４６のカバー部分１００（図３及び図５）である。ズボン接続具４６のカバー部分は、例示された実施形態において、フック／ループ接続具パッチ１００である。パッチ１００は、カバー５０の内側パネル８６の外側主側面上に位置する。パッチ１００は、好ましくは、約８インチ幅であり、且つ着用者に向けて面する、カバー５０の底端部のちょうど上方の場所まで延在する。ズボン接続具４６のカバー部分１００は、以下で説明されるやり方で、ズボン１４上のパッチ４２と係合可能である。
【００３０】
耐衝撃性材料５２の集合体（図５）は、背部プレート５６と一緒に、カバー５０の内部で組み立てられる。背部プレート５６は、外側に向かって、カバー５０の外側パネル８８に対抗している。耐衝撃性材料５２の集合体は、背部プレート５６の内側に向かって、カバー５０の内側パネル８６に対抗している。背部プレート５６は、カバー５０及び耐衝撃性材料５２の集合体（これらは両方とも、かなりフレキシブルである）を、よりフレキシブルでない状態で、又はより強固な状態で維持するのを助ける。
【００３１】
ファンアセンブリ５４（図６）は、電気的に動力供給されるファン１１２を支持するハウジング１１０を含む。長方形のダクト１１４は、ハウジング１１０から延在し、且つ耐衝撃性材料５２の集合体に接続される。ダクト１１４の壁は、耐衝撃性材料５２の集合体の下方端部で円錐体６６及び７０の中にぴったりはまる多数の突出部を有し、それによって、ファンアセンブリ５４を耐衝撃性材料の集合体に留める。
【００３２】
背部保護具２０の幾つかの部品の寸法は、背部プレート５６及び耐衝撃性材料５２の集合体が、実質的に動きが全くとれない状態で、カバー５０内に収容されるように、選択される。具体的には、背部プレート５６の長さ、及び耐衝撃性材料５２の集合体の長さは、カバー５０の主体部分８４の内部で、ぴったりと合うように選択される。カバー５０の主体部分８４の上方端部は、耳部９２の間のＵ字形開口部の底部で、縫い目１２０において縫い閉じられる。背部プレート５６の上方端部は、この縫い目１２０に隣接する。カバー５０の下方端部では、ストラップ９０が、ファンアセンブリ５４の上でしっかりと閉じられ、ファンアセンブリをカバーの内部に持ち上げる。背部プレート５６の下方端部もまた、ストラップ９０によって持ち上げられる。その結果、背部プレート５６は、カバー内での長さ方向の（鉛直の）動きに対して、カバー５０の中にしっかりと保持される。加えて、背部プレート５６の幅、及び耐衝撃性材料５２の集合体の幅は、カバー５０内部での任意の有意な横方向の動きを排除するように選択される。
【００３３】
背部保護具２０が完全に組み立てられた後、背部保護具２０は、先ず上着１２に接続され、そして、その後、ズボン１４に接続される。背部保護具２０は、上部上着接続具３７を係合させることによって、上着１２の内側に位置決めされる。この係合によって、背部保護具が、上着１２上に十分高く、適切に位置決めされ、それによって、頸部及び胸部の背骨に対して要求される保護を提供することを保証する。上着１２及び背部保護具がこの状態にあることによって、下部上着接続具３６は、その後、係合される。ズボン１４が着用された後、背部保護具５０と一緒に上着１２が着用され、且つズボン接続具４６が係合される。その結果、上着１２、背部保護具２０、及びズボン１４は、完全に相互連結される。
【００３４】
背部保護具２０は、次のやり方で、上着１２とズボン１４との間で鉛直荷重を伝達することが可能である。背部保護具２０の上部領域は、背部の小さな場所のあたりで、下部上着接続具３６によって、上着に固定される。背部保護具２０の下部領域は、ズボン接続具４６によって、ズボン１４に固定される。背部保護具２０は、それによって、上着１２とズボン１４との間の力伝達関係において、解放可能に接続される。その結果、上着１２からの鉛直荷重（重量）は、背部保護具２０を通して下方にズボン１４へと伝達される。背部保護具２０は、従って、要望に応じて、着用者の肩上の荷重の幾らかを、又は実質的に全てを除去する。
【００３５】
不発弾処理スーツ１０が着用される場合、背部プレート５６及び耐衝撃性材料５２の集合体は、着用者の背骨領域に対して必要な耐衝撃性を提供する。これは、爆弾の爆発のような力が着用者の前面で生じる場合に該当し、その力によって、着用者は、後方に自身の背部からから投げ出される。より直接的に衝撃と関わる、背部プレート５６のより硬い材料は、より柔らかい耐衝撃性材料５２へ力を分布させるが、ここで耐衝撃性材料５２は着用者の背部に適合し、且つ更に衝撃を緩和する。耐衝撃性材料５２の集合体における砂時計形状は、主壁６４及び６８のより硬い平坦な層の間で、自身の長さに沿って圧縮される。これが起こるため、残りの任意の力は、より広い領域にわたって分散される。
【００３６】
不発弾処理スーツ１０が着用される場合、背部保護具２０はまた、不発弾処理スーツ１０の着用者に、換気及び冷却を提供する。ファン１１２は、これが作動する場合、空気をファンハウジング１１０の中に引き入れ、且つダクト１１４を通して、ハウジングからの空気をプレナム７４へ導くが、ここでプレナム７４は、耐衝撃性材料５２の２つのパネル６０及び６２の間に位置する。通気は、プレナム７４を通って、鉛直、上方向に流れる。通気は、耐衝撃性材料５２の集合体の内側主側面にある空気出口細孔８０を通り、図６において矢印１３０で示される方向に、耐衝撃性材料５２の集合体を出る。通気は、カバー５０の多孔性の内側パネル８６を通って流れ、着用者の背部に接触すると共に、これを冷却する。従って、換気は、スーツ全体にわたって分散されるのとは反対に、体が冷却を最も必要としている領域に向けられる。細孔８０は、着用者の肌の領域にわたって流れる空気の、より広く開いた経路というよりも、着用者に衝突する空気の小さな噴射を提供する。換気の大部分は、背部の高さに、且つ胸部の側面に提供される。
【００３７】
強制通気のわずかな部分はまた、耐衝撃性材料５２の集合体の側面縁部７６における二次的な細孔７８から、図６において矢印１３２によって示される方向に流れる。耐衝撃性材料５２の集合体の側面縁部７６上のこれらの細孔７８は、例えば、もしスーツの着用者が損傷し、且つファン１１２が依然として動いている状態で、仰向けに横たわっている場合、強制空気のための逃がし弁として働くことが可能である。
【００３８】
耐衝撃性材料５２の集合体の必須部分であるプレナム７４の存在は、特に換気目的のための付加的な配管に対する必要が無いことを意味する。プレナム７４の存在及び有用性はまた、耐衝撃性材料５２の集合体についての、重量に対する衝撃減衰の比率が高いことを証明する。不発弾処理スーツ１０におけるより軽い重量は、強く望まれる特性である。軽量構造において、高いレベルの耐衝撃性、及びまた換気を提供できることは、非常に有益である。
【００３９】
前述の説明から、当業者は、本発明における改善、変形、及び変更に気づくであろう。当技術の技量の範囲内での、そのような改善、変形、及び変更は、添付された請求項によって含まれることが意図されている。
【図１】
2017115288.tif 000003
【図２】
2017115288.tif 000004
【図３】
2017115288.tif 000005
【図４】
2017115288.tif 000006
【図５】
2017115288.tif 000007
【図６】
2017115288.tif 000008
【図７】
2017115288.tif 000009
【図８】
2017115288.tif 000010
【外国語明細書】
2017115288000001.pdf